(57)【特許請求の範囲】
【請求項１】
基地局の配下の複数の端末がランダムアクセスを用いて基地局と無線通信を行う無線アクセスシステムにおいて、
前記端末から前記基地局に送信する上りフレームに、前記複数の端末がランダムアクセスに用いるランダムアクセス領域と、送信データを持つ端末数を推定するための信号の送信に用いる共用アクセス領域を設定し、
前記端末は、送信データを持つときに、前記共用アクセス領域の共用アクセススロットを用いて前記信号を送信する共用アクセススロット送信確率で、全端末で共通の変調方式かつ全端末で共通のデータ列からなる前記信号を送信する手段を備え、
前記基地局は、複数の前記上りフレームで前記共用アクセススロットにおける前記信号の受信成功数を計測し、前記共用アクセススロット送信確率と前記共用アクセススロットの合計数とその共用アクセススロットにおける受信成功数に基づき、前記送信データを持つ端末の数を推定する手段を備えた
ことを特徴とする無線アクセスシステム。
【請求項２】
請求項１に記載の無線アクセスシステムにおいて、
前記基地局は、１つ、もしくは複数のＭＡＣフレームごとに、前記共用アクセススロット送信確率を前記端末に通知する手段を含む
ことを特徴とする無線アクセスシステム。
【請求項３】
請求項１に記載の無線アクセスシステムにおいて、
前記基地局は、前記送信データを持つ端末の数の推定値に応じて、次の上りフレーム、もしくは次以降の複数の上りフレームに用いる前記共用アクセススロット送信確率を決定し、前記端末に通知する手段を含む
ことを特徴とする無線アクセスシステム。
【請求項４】
請求項１に記載の無線アクセスシステムにおいて、
前記基地局は、前記共用アクセススロットにおける前記信号の受信数と非受信数の割合が一定になるように前記共用アクセススロット送信確率を調整する
ことを特徴とする無線アクセスシステム。
【請求項５】
請求項１に記載の無線アクセスシステムにおいて、
前記基地局は、前記複数の上りフレームごとに前記送信データを持つ端末の数の推定を繰り返し、その平均値を推定端末数とする
ことを特徴とする無線アクセスシステム。
【請求項６】
請求項５に記載の無線アクセスシステムにおいて、
前記複数の上りフレームの全ての共用アクセススロットにおいて受信成功となった場合、あるいは全ての共用アクセススロットにおいて１つも受信に成功しなかった場合、もしくはそれらの状況が連続した場合に、過去に推定した端末数をクリアして平均値を用いない
ことを特徴とする無線アクセスシステム。
【請求項７】
基地局の配下の複数の端末がランダムアクセスにより基地局と無線通信を行う無線アクセスシステムのアクセス制御方法において、
前記端末から前記基地局に送信する上りフレームに、前記複数の端末がランダムアクセスに用いるランダムアクセス領域と、送信データを持つ端末数を推定するための信号の送信に用いる共用アクセス領域を設定し、
前記端末は、送信データを持つときに、前記共用アクセス領域の共用アクセススロットを用いて前記信号を送信する共用アクセススロット送信確率で、全端末で共通の変調方式かつ全端末で共通のデータ列からなる前記信号を送信し、
前記基地局は、複数の前記上りフレームで前記共用アクセススロットにおける前記信号の受信成功数を計測し、前記共用アクセススロット送信確率と前記共用アクセススロットの合計数とその共用アクセススロットにおける受信成功数に基づき、前記送信データを持つ端末の数を推定する
ことを特徴とするアクセス制御方法。
【請求項８】
基地局の配下の複数の端末がランダムアクセスにより基地局と無線通信を行う無線アクセスシステムの基地局装置において、
前記端末から前記基地局に送信する上りフレームに、前記複数の端末がランダムアクセスに用いるランダムアクセス領域と、送信データを持つ端末数を推定するための信号の送信に用いる共用アクセス領域を設定し、
送信データを持つ前記端末が前記共用アクセス領域の共用アクセススロットを用いて前記信号を送信する共用アクセススロット送信確率で、全端末で共通の変調方式かつ全端末で共通のデータ列からなる前記信号を送信するときに、複数の前記上りフレームで前記共用アクセススロットにおける前記信号の受信成功数を計測し、前記共用アクセススロット送信確率と前記共用アクセススロットの合計数とその共用アクセススロットにおける受信成功数に基づき、前記送信データを持つ端末の数を推定する手段を備えた
ことを特徴とする基地局装置。
【発明の詳細な説明】
【技術分野】
【０００１】
本発明は、基地局の配下の複数の端末がランダムアクセスにより基地局と無線通信を行う無線アクセスシステムおよびアクセス制御方法ならびに基地局装置に関する。
【背景技術】
【０００２】
現在、基地局からの電波の到達範囲が携帯電話の通信網よりも広く、多様な機器の情報収集および制御を行うのに適した広域ユビキタスネットワーク網の開発が行われている。広域ユビキタスネットワークでは広域セルを構築するために、所要Ｃ／Ｎは低いが、伝送容量が少ない低伝送レートの無線回線を使用する。また、広域セルであるために、基地局には、従来の無線通信システムよりも多数の端末が収容される。一般的に、広域ユビキタスネットワークでは数万台程度の端末が収容される。さらに、広域ユビキタスネットワークで収容する端末はセンサに類する機器であるため、 100バイト以下の短いデータを送信することが一般的である。
【０００３】
有線ネットワークのアクセス系として用いられる無線アクセスシステムのアクセス制御方式には、基地局が全端末の送信タイミングを管理する集中制御方式と、各端末が各々独立に送信タイミングを決めて送信を行う分散制御方式の２つの方式に大別できる。
分散制御方式は、集中制御方式に比べ基地局構成が簡易となる。また、基地局から端末を制御する必要がないことから、制御用信号が不要であり、高いスループットが実現できるため、広域ユビキタスネットワークのような端末当たりの伝送速度が低く、１つの基地局で膨大な数の端末を収容する場合、分散制御方式が用いられる。
【０００４】
分散制御方式では、各端末が個別に送信タイミングを決定するため、複数の端末が一斉に送信を開始した場合に送信パケットが衝突する可能性があり、輻輳状態においてはパケット衝突が頻繁に発生してスループットを低減させる。特に、広域ユビキタスネットワークでは１基地局当たりの収容端末数が膨大であるため、端末が一斉に送信を開始した場合に非常に強い輻輳状態が長期間にわたり継続する可能性がある。
【０００５】
このような輻輳を検出してスループットを維持する方法として、これまでにいくつかの方法が提案されている。
【０００６】
特許文献１では、基地局において単位時間のランダムアクセスチャネル信号の受信成功数が規定値以上であった場合に輻輳状態であると判断し、輻輳の場合は、基地局から端末に対し下りチャネルを介して輻輳の旨を通知して端末の送信を抑制する方法が示されている。
【０００７】
特許文献２では、基地局において各ランダムアクセススロットの受信電力を測定し、受信電力が規定値以上で受信を失敗した場合に、衝突であると判断し、衝突率の高低により輻輳を判断する。そして、輻輳の場合は、基地局がアンテナ指向性を絞ることによりトラヒックを低減してスループットを改善する方法が示されている。
【０００８】
特許文献３では、特許文献２と同様に受信電力レベルと受信成否から、送信成功時間率と送信失敗時間率を算出し、それぞれの値を事前に取得したシミュレーション結果と比較することにより輻輳判断を行っている。
【先行技術文献】
【特許文献】
【０００９】
【特許文献１】特開２０１０−０２１９４２号公報
【特許文献１】特開２００７−０３６４４２号公報
【特許文献１】特開平０８−３３６１７７号公報
【発明の概要】
【発明が解決しようとする課題】
【００１０】
従来のランダムアクセスの輻輳判定方法は、（方法１）単位時間のランダムアクセス信号の受信成功数を用いた輻輳検出、（方法２）受信電力レベルを用いた輻輳検出、の２種類に大別できる。
【００１１】
方法１は、予め決められた閾値よりもランダムアクセス信号の受信成功数が大きくなった場合に輻輳と判断する方式である。しかし、多数の端末が同時に送信を開始した場合などは衝突によってランダムアクセス信号を検出できないために、方法１では輻輳を検知できない。特に、広域ユビキタスネットワークでは収容端末の数が従来の無線通信システムと比較して非常に多いため、方法１では輻輳を検知できないことが頻繁に発生する。
【００１２】
方法２は、端末の送信判定に基地局における受信電力を用いるが、広域セルで端末の送信電力が非常に小さい場合、端末は送信しているが基地局においてその送信を検知できないケースが頻繁に発生し、輻輳を検知できない場合がある。
【００１３】
本発明は、従来方法では輻輳を検知できない場合がある広域ユビキタスネットワークにおいて輻輳を簡単に検知することができる無線アクセスシステムおよびアクセス制御方法ならびに基地局装置を提供することを目的とする。
【課題を解決するための手段】
【００１４】
第１の発明は、基地局の配下の複数の端末がランダムアクセスを用いて基地局と無線通信を行う無線アクセスシステムにおいて、端末から基地局に送信する上りフレームに、複数の端末がランダムアクセスに用いるランダムアクセス領域と、送信データを持つ端末数を推定するための信号の送信に用いる共用アクセス領域を設定し、端末は、送信データを持つときに、共用アクセス領域の共用アクセススロットを用いて信号を送信する共用アクセススロット送信確率で、全端末で共通の変調方式かつ全端末で共通のデータ列からなる信号を送信する手段を備え、基地局は、複数の上りフレームで共用アクセススロットにおける信号の受信成功数を計測し、共用アクセススロット送信確率と共用アクセススロットの合計数とその共用アクセススロットにおける受信成功数に基づき、送信データを持つ端末の数を推定する手段を備える。
【００１５】
第１の発明の無線アクセスシステムにおいて、基地局は、１つ、もしくは複数のＭＡＣフレームごとに、共用アクセススロット送信確率を端末に通知する手段を含む。
【００１６】
第１の発明の無線アクセスシステムにおいて、基地局は、送信データを持つ端末の数の推定値に応じて、次の上りフレーム、もしくは次以降の複数の上りフレームに用いる共用アクセススロット送信確率を決定し、端末に通知する手段を含む。
【００１７】
第１の発明の無線アクセスシステムにおいて、基地局は、共用アクセススロットにおける信号の受信数と非受信数の割合が一定になるように共用アクセススロット送信確率を調整する。
【００１８】
第１の発明の無線アクセスシステムにおいて、基地局は、複数の上りフレームごとに送信データを持つ端末の数の推定を繰り返し、その平均値を推定端末数とする。
【００１９】
また、複数の上りフレームの全ての共用アクセススロットにおいて受信成功となった場合、あるいは全ての共用アクセススロットにおいて１つも受信に成功しなかった場合、もしくはそれらの状況が連続した場合に、過去に推定した端末数をクリアして平均値を用いないとしてもよい。
【００２０】
第２の発明は、基地局の配下の複数の端末がランダムアクセスにより基地局と無線通信を行う無線アクセスシステムのアクセス制御方法において、端末から基地局に送信する上りフレームに、複数の端末がランダムアクセスに用いるランダムアクセス領域と、送信データを持つ端末数を推定するための信号の送信に用いる共用アクセス領域を設定し、端末は、送信データを持つときに、共用アクセス領域の共用アクセススロットを用いて信号を送信する共用アクセススロット送信確率で、全端末で共通の変調方式かつ全端末で共通のデータ列からなる信号を送信し、基地局は、複数の上りフレームで共用アクセススロットにおける信号の受信成功数を計測し、共用アクセススロット送信確率と共用アクセススロットの合計数とその共用アクセススロットにおける受信成功数に基づき、送信データを持つ端末の数を推定する。
【００２１】
第３の発明は、基地局の配下の複数の端末がランダムアクセスにより基地局と無線通信を行う無線アクセスシステムの基地局装置において、端末から基地局に送信する上りフレームに、複数の端末がランダムアクセスに用いるランダムアクセス領域と、送信データを持つ端末数を推定するための信号の送信に用いる共用アクセス領域を設定し、送信データを持つ端末が共用アクセス領域の共用アクセススロットを用いて信号を送信する共用アクセススロット送信確率で、全端末で共通の変調方式かつ全端末で共通のデータ列からなる信号を送信するときに、複数の上りフレームで共用アクセススロットにおける信号の受信成功数を計測し、共用アクセススロット送信確率と共用アクセススロットの合計数とその共用アクセススロットにおける受信成功数に基づき、送信データを持つ端末の数を推定する手段を備える。
【発明の効果】
【００２２】
本発明は、送信データを持つ端末が共用アクセス領域の共用アクセススロットを用いて信号を共用アクセススロット送信確率で送信し、基地局が共用アクセススロットで受信する当該信号の受信成功数を計測し、共用アクセススロット送信確率、アクセススロット数、スロットにおける受信成功数に基づき、送信データを持つ端末の数を推定することにより、ランダムアクセスを行っている端末の数を高い精度で推定することができる。これにより、ランダムアクセスでの輻輳状態を検出することが可能になる。
【図面の簡単な説明】
【００２３】
【図１】本発明の無線アクセスシステムの構成例を示す図である。
【図２】本発明で用いられるＭＡＣフレームの構成例を示す図である。
【図３】本発明における基地局および端末の構成例を示す図である。
【図４】基地局１０の送信状態端末数推定部１１の推定シーケンスを示す図である。
【図５】共用アクセススロット送信確率ｐの算出手順例を示すフローチャートである。
【発明を実施するための形態】
【００２４】
図１は、本発明の無線アクセスシステムの構成例を示す。
図１において、有線ネットワーク３１に接続された１つの基地局１０に対して、複数の端末２０が無線回線を介して接続され、各端末２０がランダムアクセスにより基地局１０に制御信号およびデータ信号を送信する。
【００２５】
図２は、本発明で用いられるＭＡＣフレームの構成例を示す。多元接続方式としてＴＤＭＡを用い、複信方式としてＴＤＤを用いる。
【００２６】
図２において、ＭＡＣフレーム長は固定であり、前半が基地局から端末に向かう下りフレームであり、後半が端末から基地局に向かう上りフレームである。下りフレームでは、ユーザデータを運ぶデータ信号の他に、無線回線制御等を行うための制御コマンド等を運ぶ制御信号が基地局から端末に向けて送信される。上りフレームは、送信データを持つ端末数を推定するための信号の送信に用いる共用アクセス領域と、複数の端末がランダムアクセスに用いるランダムアクセス領域と、その他の領域から構成される。共用アクセス領域のアクセススロットは１つまたは複数設けられる。
【００２７】
端末は、送信すべきデータを持つ場合、ランダムアクセスにより帯域割当要求を送信する。ランダムアクセスにより帯域割当要求を送信する場合、端末は輻輳回避のため、Exponential-backoff を実施する。バックオフでは、送信する前に予め定められたウィンドウサイズの範囲で乱数を計算し、乱数と同じだけのランダムアクセススロットでバックオフしたのち送信を行う。送信に失敗した場合、ウィンドウサイズをＸ倍にし再度乱数を計算してバックオフした後に再送を行う。端末の再送は、送信に成功するまで、もしくは最大再送回数に達するまで繰り返す。帯域割当要求を受信した基地局は、要求に従いデータ送信用の帯域を割り当てる。データ送信用の帯域を割り当てられた端末はその帯域を用いてデータを送信する。
【００２８】
本発明では、バックオフを含めランダムアクセスを行っている端末は、ランダムアクセスとは別に共用アクセス領域においても送信動作を行う。共有アクセス領域において送信スロット（帯域) が割り当てられた場合、端末はある確率で送信を行う。送信を行う確率は、共用アクセススロット送信確率として基地局から報知される。この確率に従い、端末は共有アクセス領域のアクセススロットにおいて送信を行う。
【００２９】
図３は、本発明における基地局および端末の構成例を示す。
図３において、基地局１０と端末２０は無線回線を介して接続される。基地局１０は、送信状態端末数推測部１１、共用アクセススロット送信確率算出部１２、ランダムアクセスパラメータ算出部１３、制御信号生成部１４、無線送信部１５、無線受信部１６から構成される。端末２０は、共用アクセス信号生成部２１、ランダムアクセス信号生成部２２、無線送信部２３、無線受信部２４から構成される。
【００３０】
基地局１０の送信状態端末数推測部１１では、送信状態の端末（送信すべきデータを持つ端末) の数を、共用アクセス領域において受信されるパケットの受信成功数から推定する。
【００３１】
共用アクセススロット送信確率算出部１２では、送信状態端末数推定部１１で推定した端末数の値を元に、端末が共用アクセス領域において送信する確率を算出する。ここでは、次回の端末数推定において推定精度が向上するような送信確率を算出する。
【００３２】
ランダムアクセスパラメータ算出部１３では、送信状態端末数推定部１１で推定した送信状態にある端末数を元に、最もスループットの向上が期待できるランダムアクセスパラメータを算出する。
【００３３】
制御信号生成部１４では、共用アクセススロット送信確率算出部１２で算出された共用アクセス領域の送信確率と、ランダムアクセスパラメータ算出部１３で算出されたパラメータを端末に通知するための信号を生成する。
【００３４】
無線送信部１５では、制御信号生成部１４で生成された信号を無線回線を介して端末２０に送信する。
無線受信部１６では、ランダムアクセス領域および共用アクセス領域等で端末２０から無線回線を介して送信された信号を受信する。
【００３５】
端末２０の共用アクセス信号生成部２１では、基地局１０から通知された共用アクセス領域の送信確率に従い、共用アクセス信号を生成する。
【００３６】
ランダムアクセス信号生成部２２では、基地局１０から通知されたランダムアクセスパラメータに従い、ランダムアクセスを行い、送信データを送信する。
【００３７】
無線送信部２３では、ランダムアクセス信号生成部２２と共用アクセス信号生成部２１で生成された信号を無線回線を介して基地局１０に送信する。
無線受信部２４では、基地局１０から送信される無線信号を受信し、共用アクセス領域の送信確率を共用アクセス信号生成部２１に通知し、ランダムアクセスパラータをランダムアクセス信号生成部２２に通知する。
【００３８】
図４は、基地局１０の送信状態端末数推定部１１における推定シーケンスを示す。
図４において、送信状態端末数の推定は、複数（図４では４つ）のＭＡＣフレームにより構成されるスーパーフレーム毎に行う。図の例では基地局１０から端末２０−１〜２０−４に指示する共用アクセススロット送信確率は、１つのスーパーフレーム中では変更せず一定の値を各端末に対して通知する。スーパーフレーム中に共用アクセススロット送信確率を変更しない場合は、共用アクセススロット送信確率の通知は、スーパーフレームの先頭フレームにおいて一度通知するだけでもよい。
【００３９】
スーパーフレーム＃１において、基地局１０はＭＡＣフレーム毎に共用アクセススロット送信確率ｐ0 を端末２０−１〜２０−４に報知する。送信データを持つ端末２０は、通知された共用アクセススロット送信確率に従い、共用アクセス領域のアクセススロットにおいて予め定められた固定パターン（全端末で共通のデータ列）のパケットを全端末で共通の変調方式で送信する。これにより、共用アクセス領域では、複数の端末から送信された信号が衝突しても、失敗せずに受信することが可能となる。
【００４０】
ただし、送信するのは送信すべきデータを持つ端末のみであり、データを持たない端末は送信を行わない。例えば、通知された共用アクセススロット送信確率ｐ0 が0.5 の場合、データを持つ端末は平均で２スロットに１回送信する。この際、端末は送信スロットを例えばランダムに選択すること、もしくは擬似乱数のような固定パターンに従って選択することが望ましい。
【００４１】
基地局１０は、共用アクセス領域スロットのアクセス履歴を保持する。履歴には１つのスーパーフレーム中に割り当てられた共用アクセス領域のスロット数と、受信に成功した共用アクセス領域のスロット数が記録される。図に示す例では時間ｔ１では、共用アクセス領域スロット数４に対して、受信成功スロット数３が記録される。このような前周期の受信状況に基づいて、次のスーパーフレームで用いる共用アクセススロット送信確率を再計算して報知する。
【００４２】
（送信状態端末数の推定）
基地局１０の送信状態端末数推定部１１において、送信状態の端末（送信すべきデータを持つ端末) の数を推定する方法について説明する。
【００４３】
送信状態端末数の推定は、予め定められた数（Ｎ個）のＭＡＣフレームで構成されるスーパーフレーム毎に推定を行う。共用アクセススロット送信確率、ランダムアクセスパラメータは推定された端末数によって算出されるため、共用アクセススロット送信確率、ランダムアクセスパラメータともにＮフレームに１度更新される。送信状態端末数推定部１１は、過去Ｎフレームにおける共用アクセス領域スロット数に対して、誤り無くパケットを受信した回数である受信成功スロット数を記録する。
【００４４】
ＭＡＣフレーム毎の共用アクセス領域にｈ個（ｈは１以上の整数）のアクセススロットを割り当てた場合、推定を行うタイミングから過去Ｎフレーム期間における共用アクセス領域スロット数はｈ×Ｎであり、そのうちの受信成功スロット数ｋを計測する。推定タイミングから過去Ｎフレームにおける共用アクセススロット送信確率をｐとした場合、推定される端末数ｘは以下の式で表される。
ｘ＝(log((ｈＮ−ｋ)／ｈＮ))／(log(１−ｐ))      …(1) 
【００４５】
全てのアクセススロットで受信成功となった場合（ｋ＝ｈＮ）、またはすべてのアクセススロットで受信できない場合（ｋ＝０）は、送信状態の端末数を推定することができないので、以下に説明するように共用アクセススロット送信確率ｐを再計算して各端末に報知し、次のＮフレームについて同様の処理を行う。
【００４６】
また、推定端末数ｘが得られたとしても、一度の推定では誤差を含むため、複数回の推定値の平均値を推定端末数とする。平均を取る場合は過去ｍスーパーフレームの推定端末数を記憶しておき、その値の平均値を計算する。
【００４７】
また、当該平均値を推定端末数とする場合、全てのスロットにおいて受信成功となった場合（ｋ＝ｈＮ）、もしくはその状況が連続した場合は、送信状態にある端末の数が短時間に大きく変化し、過去の推定数には意味がなくなるため、過去の端末数をクリアし、平均値を用いないようにする。さらに、全てのスロットにおいて１つも受信に成功しなかった場合（ｋ＝０）、もしくはその状況が連続した場合についても、同様の動作をすることも有効である。
【００４８】
（共用アクセススロット送信確率の算出）
基地局１０の共用アクセススロット送信確率算出部１２において、共用アクセススロット送信確率を算出する方法について説明する。
【００４９】
スーパーフレームごとに、共用アクセススロット送信確率ｐに応じた受信成功スロット数ｋを計測する。共用アクセススロット送信確率ｐが高ければ受信成功スロット数ｋは大きくなり、共用アクセススロット送信確率ｐが低ければ受信成功スロット数ｋは小さくなる。そこで、Ｚ個のスロットのうち、目標とする受信成功スロット数がｙ（０＜ｙ＜Ｚ）となる確率が高くなるように、共用アクセススロット送信確率ｐを調整する。Ｚスロットのうち受信成功スロット数がｙとなる共用アクセススロット送信確率ｐは次式で算出される。
ｐ＝１−（１−ｙ／Ｚ)1/x              …(2) 
ただし、ｘは (1)式で求まる推定端末数である。
【００５０】
ここで、全アクセススロットで受信成功となった場合（ｋ＝ｈＮ）、または全アクセススロットで受信できない場合（ｋ＝０）は、 (1)式で推定端末数ｘが算出できないので、 (2)式で次のスーパーフレームに設定する共用アクセススロット送信確率ｐも算出できない。そこで、全アクセススロットにおいて受信成功となった場合は予想外に送信状態端末が増加したと推定できるため、共用アクセススロット送信確率ｐを現在の値からｋd 分の１にする。逆に受信成功数が０となった場合はｋi 倍にする。
【００５１】
図５は、共用アクセススロット送信確率の算出手順例を示す。ここでは、送信状態端末数推定において推定誤差が生じた場合でも、全く送信が行われない事態や全てのスロットにおいて送信が行われる事態を回避するため、ｙをＺ／２とし、ｋd ＝ｋi ＝10とした。
【００５２】
図５において、全てのアクセススロットで受信成功か否か（ｋ＝ｈＮ）を判断し（Ｓ１）、全てのアクセススロットで受信成功の場合は共用アクセススロット送信確率ｐをｐ／10とする（Ｓ２）。全てのアクセススロットで受信成功とならない場合は、全てのアクセススロットで受信なしか否か（ｋ＝０）を判断し（Ｓ３）、全てのアクセススロットで受信なしの場合は共用アクセススロット送信確率ｐをｐ×10とする（Ｓ４）。受信成功数が０＜ｋ＜ｈＮの場合は、 (1)式で求まる推定端末数ｘに応じて次のスーパーフレームに設定する共用アクセススロット送信確率ｐは、
ｐ＝１−(１／２)1/x
とする（Ｓ５）。
【００５３】
（アクセスパラメータの算出）
(1)式で求まる推定端末数ｘに従い、ランダムアクセス領域におけるランダムアクセスで用いるランダムアクセスパラメータを決定する場合、スーパーフレーム毎にランダムアクセスパラメータを更新する。ランダムアクセス方式によりアクセスパラメータは異なる。ここでは、(1) エクスポネンシャルバックオフを行わない場合のランダムアクセス、
(2) エクスポネンシャルバックオフを行う場合のランダムアクセスについて、アクセスパラメータを変更する方法を説明する。
【００５４】
(1) エクスポネンシャルバックオフを行わない場合
エクスポネンシャルバックオフを行わない場合のランダムアクセスにおけるアクセスパラメータは、ウィンドウサイズＷのみである。端末は、パケットを送信する際はこのウィンドウサイズに従い、ランダムアクセス領域の送信スロットを選択し、送信する。例えば、ウィンドウサイズＷが10の場合、０番目から９番目までのスロットのうちから送信スロットをランダムに選択する。アクセスパラメータの変更においてはこのウィンドウサイズＷを推定端末数ｘと同じ値にする。
【００５５】
(2) エクスポネンシャルバックオフを行う場合
エクスポネンシャルバックオフを行う場合のランダムアクセスにおけるアクセスパラメータは、初期ウィンドウサイズＷ0 とパーシステントファクタＰＦである。この方式では、ランダムアクセスのウィンドウサイズＷは、同一データの送信回数をｎとして、
Ｗ＝Ｗ0 ×ＰＦn-1 
で決定される。ウィンドウサイズＷを用いた送信方法は、(1) の場合と同じである。アクセスパラメータの更新は、初期ウィンドウサイズＷ0 を推定端末数ｘと同じ値とする。
【符号の説明】
【００５６】
１０  基地局
２０  端末
１１  送信状態端末数推定部
１２  共用アクセススロット送信確率算出部
１３  ランダムアクセスパラメータ算出部
１４  制御信号生成部
１５  無線送信部
１６  無線受信部
２１  共用アクセス信号生成部
２２  ランダムアクセス信号生成部
２３  無線送信部
２４  無線受信部
【図１】
0005591844.tif 000002
【図２】
0005591844.tif 000003
【図３】
0005591844.tif 000004
【図４】
0005591844.tif 000005
【図５】
0005591844.tif 000006